(57)【要約】【課題】照明器具の角度調整が可能で、従来よりも部品数を削減することが可能なガードを提供する。【解決手段】本発明に係る照明器具のガードは、照明器具の周囲を囲う枠組みと、被取付面に取り付けられる取付部、及び、該取付部から延びて前記取付部と共に第１Ｕ字形状部を構成する一対の第１腕部を有する第１アームと、照明器具を保持する照明器具保持部、前記取付部から離れる方向に前記照明器具保持部から延びて前記照明器具保持部と共に第２Ｕ字形状部を構成する一対の第２腕部、及び、前記第２腕部のそれぞれに設けられ、前記枠組みを保持する枠組み保持部を有し、前記第２Ｕ字形状部が前記第１Ｕ字形状部に挿入されて、一対の前記第１腕部に一対の前記第２腕部が固定される第２アームと、を備えている。【選択図】図１
2020057573.tif 000002
【特許請求の範囲】
【請求項１】
照明器具のガードであって、
前記照明器具の周囲を囲う枠組みと、
被取付面に取り付けられる取付部、及び、該取付部から延びて前記取付部と共に第１Ｕ字形状部を構成する一対の第１腕部を有する第１アームと、
前記照明器具を保持する照明器具保持部、前記取付部から離れる方向に前記照明器具保持部から延びて前記照明器具保持部と共に第２Ｕ字形状部を構成する一対の第２腕部、及び、前記第２腕部のそれぞれに設けられ、前記枠組みを保持する枠組み保持部を有し、前記第２Ｕ字形状部が前記第１Ｕ字形状部に挿入されて、一対の前記第１腕部に一対の前記第２腕部が固定される第２アームと、
を備えたガード。
【請求項２】
前記第２アームは、板状部材を折り曲げ加工して形成された一体成形品である請求項１に記載のガード。
【請求項３】
前記枠組みは、前記枠組み保持部に保持される枠部を備え、
前記枠組みは、さらに、前記枠部と接続され、前記第２腕部の延びる方向に延びる一対の柱部を複数備え、
前記枠組み保持部のそれぞれは、一対の前記柱部の間に挿入される請求項１又は請求項２に記載のガード。
【請求項４】
前記柱部のそれぞれは、前記枠部の外周部に接続されている請求項３に記載のガード。
【発明の詳細な説明】
【技術分野】
【０００１】
本発明は、照明器具の保護に用いられるガードに関する。
【背景技術】
【０００２】
従来、照明器具の保護に用いられるガードが知られている。例えば、特許文献１には、天井に取り付けられる照明器具を保護するガードとして、照明器具の角度調整が可能なガードが記載されている。具体的には、特許文献１に記載の照明器具のガードは、被取付面である天井に取り付けられるアームと、該アームに回転自在に接続され、照明器具を保持する支持体と、支持体に取り付けられた複数の支持腕と、照明器具の周囲を囲い、複数の支持腕で保持された枠組みと、を備えている。
【先行技術文献】
【特許文献】
【０００３】
【特許文献１】実公平１−２２１７８号公報
【発明の概要】
【発明が解決しようとする課題】
【０００４】
特許文献１に記載の照明器具のガードは、照明器具を角度調整可能とするために、アーム及び支持体が必要である。また、特許文献１に記載のガードは、照明器具を保護する枠組みを保持するために、支持腕が必要である。このように、照明器具の角度調整が可能な従来のガードは、多くの部品で構成する必要があり、複雑な構造となってしまうという課題があった。
【０００５】
本発明は、上述の課題を解決するためになされたものであり、照明器具の角度調整が可能で、従来よりも部品数を削減することが可能なガードを提供することを目的とする。
【課題を解決するための手段】
【０００６】
本発明に係るガードは、照明器具のガードであって、前記照明器具の周囲を囲う枠組みと、被取付面に取り付けられる取付部、及び、該取付部から延びて前記取付部と共に第１Ｕ字形状部を構成する一対の第１腕部を有する第１アームと、前記照明器具を保持する照明器具保持部、前記取付部から離れる方向に前記照明器具保持部から延びて前記照明器具保持部と共に第２Ｕ字形状部を構成する一対の第２腕部、及び、前記第２腕部のそれぞれに設けられ、前記枠組みを保持する枠組み保持部を有し、前記第２Ｕ字形状部が前記第１Ｕ字形状部に挿入されて、一対の前記第１腕部に一対の前記第２腕部が固定される第２アームと、を備えている。
【発明の効果】
【０００７】
本発明に係るガードは、第２アームを第１アームに固定する際、第１アームに対する第２アームの角度を調整することにより、照明器具の角度を調整することができる。また、本発明に係るガードは、第２アームを一体成形品として形成することができる。したがって、本発明に係るガードは、照明器具の角度を調整することができ、従来よりも部品数を削減することもできる。
【図面の簡単な説明】
【０００８】
【図１】本発明の実施の形態１に係るガードと、該ガードに保持される照明器具とを示す分解斜視図である。
【図２】本発明の実施の形態１に係るガードと、該ガードに保持された照明器具とを示す斜視図である。
【図３】本発明の実施の形態１に係るガードの斜視図である。
【図４】本発明の実施の形態１に係るガードの平面図である。
【図５】本発明の実施の形態１に係るガードの側面図である。
【図６】本発明の実施の形態１に係るガードの第１アーム及び第２アームの斜視図である。
【図７】本発明の実施の形態１に係るガードの第１アーム及び第２アームの正面図である。
【図８】本発明の実施の形態２に係るガードと、該ガードに保持される照明器具とを示す分解斜視図である。
【図９】本発明の実施の形態２に係るガードと、該ガードに保持された照明器具とを示す斜視図である。
【図１０】本発明の実施の形態２に係るガードの斜視図である。
【図１１】本発明の実施の形態２に係るガードの平面図である。
【図１２】本発明の実施の形態２に係るガードの側面図である。
【発明を実施するための形態】
【０００９】
以下の各実施の形態において、本発明に係る照明器具のガードの一例について説明する。また、以下の各実施の形態では、本発明に係るガードが取り付けられる被取付面が水平方向に延びる天井であり、本発明に係るガードに保持された照明器具が垂直方向下向きに照射する場合を例に、本発明に係る照明器具のガードの一例を説明する。
【００１０】
実施の形態１．
図１は、本発明の実施の形態１に係るガードと、該ガードに保持される照明器具とを示す分解斜視図である。図２は、本発明の実施の形態１に係るガードと、該ガードに保持された照明器具とを示す斜視図である。図３は、本発明の実施の形態１に係るガードの斜視図である。図４は、本発明の実施の形態１に係るガードの平面図である。図５は、本発明の実施の形態１に係るガードの側面図である。図６は、本発明の実施の形態１に係るガードの第１アーム及び第２アームの斜視図である。また、図７は、本発明の実施の形態１に係るガードの第１アーム及び第２アームの正面図である。なお、図１〜図７に示すＺ方向は、垂直方向を示している。図１〜図７に示すＸ方向は、水平方向を示している。図１〜図７に示すＹ方向は、Ｘ方向と垂直な水平方向を示している。
【００１１】
本実施の形態１に係るガード１００は、照明器具２００を保持すると共に、照明器具２００を保護するものである。このガード１００は、第１アーム１０、第２アーム２０、及び枠組み３０を備えている。
【００１２】
第１アーム１０は、天井等の被取付面に取り付けられる部品である。第１アーム１０は、平板状の取付部１１と、平板状の一対の第１腕部とを備えている。以下、一対の第１腕部のうちの一方を、第１腕部１２とする。また、一対の第１腕部のうちの他方を第１腕部１３とする。第１腕部１２は、取付部１１の長手方向の端部のうちの一方から、下方に延びている。第１腕部１３は、取付部１１の長手方向の端部のうちの他方から、下方に延びている。
【００１３】
すなわち、取付部１１、第１腕部１２及び第１腕部１３は、下方に開口するＵ字形状に配置されている。以下、取付部１１、第１腕部１２及び第１腕部１３によって構成されるＵ字形状部分を、第１Ｕ字形状部１４とする。すなわち、第１腕部１２及び第１腕部１３は、取付部１１と共に第１Ｕ字形状部１４を構成している。ここで、第１腕部１２及び第１腕部１３は、取付部１１と共にＵ字形状となっている箇所を構成していれば、取付部１１の途中部から下方に延びていてもよい。なお、本実施の形態１では、板状部材を折り曲げることにより、取付部１１、第１腕部１２及び第１腕部１３を形成している。板状部材とは、例えば、電気亜鉛めっき鋼板である。
【００１４】
取付部１１は、天井等の被取付面に取り付けられる部分である。取付部１１には、該取付部１１を被取付面に取り付ける際に用いられる貫通孔１１ａが形成されている。本実施の形態１では、取付部１１に、２つの貫通孔１１ａが形成されている。例えば、貫通孔１１ａにボルトを挿入し、該ボルトを被取付面にねじ込むことにより、取付部１１が被取付面に取り付けられる。
【００１５】
第１腕部１２は、第２アーム２０の後述する第２腕部２２が固定される部分である。第１腕部１２には、第２腕部２２を固定する際に用いられる貫通孔が、上下方向に並んで２つ形成されている。上側の貫通孔である貫通孔１２ａは、丸穴形状となっている。下側の貫通孔である貫通孔１２ｂは、長丸形状となっている。第１腕部１２に第２腕部２２を固定する際、貫通孔１２ａ及び１２ｂには、ボルト５２が挿入される。また、第１腕部１２には、名板１５及び注意ラベル１６が貼付される。注意ラベル１６には、例えば、ボルトの締め付けトルクが記載される。
【００１６】
第１腕部１３は、第２アーム２０の後述する第２腕部２３が固定される部分である。第１腕部１３には、第２腕部２３を固定する際に用いられる貫通孔１３ａが形成されている。貫通孔１３ａは、丸穴形状となっている。また、第１腕部１３に形成された貫通孔１３ａの取付部１１からの距離は、第１腕部１２に形成された貫通孔１２ａの取付部１１からの距離と同じになっている。第１腕部１３に第２腕部２３を固定する際、貫通孔１３ａには、ボルト５２が挿入される。
【００１７】
第２アーム２０は、照明器具２００及び枠組み３０を保持すると共に、第１アーム１０に固定される部品である。第２アーム２０は、平板状の照明器具保持部２１と、平板状の一対の第２腕部とを備えている。以下、一対の第２腕部のうち、第１腕部１２に固定される第２腕部を第２腕部２２とする。また、一対の第２腕部のうち、第１腕部１３に固定される第２腕部を第２腕部２３とする。第２腕部２２は、照明器具保持部２１の長手方向の端部のうちの一方から、下方に延びている。第２腕部２３は、照明器具保持部２１の長手方向の端部のうちの他方から、下方に延びている。換言すると、第２腕部２２及び第２腕部２３は、取付部１１から離れる方向に、照明器具保持部２１から延びている。
【００１８】
すなわち、照明器具保持部２１、第２腕部２２及び第２腕部２３は、下方に開口するＵ字形状に配置されている。以下、照明器具保持部２１、第２腕部２２及び第２腕部２３によって構成されるＵ字形状部分を、第２Ｕ字形状部２４とする。すなわち、第２腕部２２及び第２腕部２３は、照明器具保持部２１と共に第２Ｕ字形状部２４を構成している。第２Ｕ字形状部２４が第１Ｕ字形状部１４に挿入され、第２アーム２０が第１アーム１０に固定される。ここで、本実施の形態１では、板状部材を折り曲げることにより、照明器具保持部２１、第２腕部２２及び第２腕部２３を形成している。板状部材とは、例えば、電気亜鉛めっき鋼板である。
【００１９】
照明器具保持部２１は、照明器具２００を保持する部分である。ここで、本実施の形態１で用いられる照明器具２００は、アーム２０１に２つの貫通孔２０１ａが形成されている。これらの貫通孔２０１ａを利用して照明器具２００を保持するため、照明器具保持部２１には、これらの貫通孔２０１ａと対応する位置に貫通孔２１ａが形成されている。そして、貫通孔２１ａ及び貫通孔２０１ａにボルト５１を挿入し、ボルト５１及び図示せぬナットで照明器具保持部２１及び照明器具２００のアーム２０１を共締めすることにより、照明器具２００は照明器具保持部２１に保持される。
【００２０】
第２腕部２２は、第１腕部１２に固定される部分である。第２腕部２２には、第１腕部１２の貫通孔１２ａと対応する位置に貫通孔２２ａが形成され、第１腕部１２の貫通孔１２ｂと対応する位置に貫通孔２２ｂが形成されている。貫通孔２２ａ及び貫通孔２２ｂは、丸穴形状となっている。第１腕部１２の貫通孔１２ａ及び第２腕部２２の貫通孔２２ａに、ボルト５２が挿入される。第１腕部１２の貫通孔１２ｂ及び第２腕部２２の貫通孔２２ｂにも、ボルト５２が挿入される。また、これらのボルト５２には、ナット５３が取り付けられる。そして、これらのボルト５２及びナット５３で第１腕部１２及び第２腕部２２を共締めすることにより、第２腕部２２は第１腕部１２に固定される。
【００２１】
第２腕部２３は、第１腕部１３に固定される部分である。第２腕部２３には、第１腕部１３の貫通孔１３ａと対応する位置に、貫通孔２３ａが形成されている。貫通孔２３ａは、丸穴形状となっている。第１腕部１３の貫通孔１３ａ及び第２腕部２３の貫通孔２３ａに、ボルト５２が挿入される。また、このボルト５２には、ナット５３が取り付けられる。そして、ボルト５２及びナット５３で第１腕部１３及び第２腕部２３を共締めすることにより、第２腕部２３は第１腕部１３に固定される。
【００２２】
ここで、上述のように、第１腕部１３に形成された貫通孔１３ａの取付部１１からの距離は、第１腕部１２に形成された貫通孔１２ａの取付部１１からの距離と同じになっている。また、貫通孔１２ａの下側に形成されている貫通孔１２ｂは、長丸形状となっている。このため、第１アーム１０に第２アーム２０が固定される前の状態においては、第２アーム２０は、貫通孔１２ａ及び貫通孔２２ａに挿入されたボルト５２と貫通孔１３ａ及び貫通孔２３ａに挿入されたボルト５２とを回転中心として、貫通孔１２ｂの長手方向の長さ分だけ第１アーム１０に対して回転することができる。そして、第１アーム１０に対する第２アーム２０の角度を調整した後に、ボルト５２及びナット５３で第１アーム１０に第２アーム２０を固定することにより、第１アーム１０に対する第２アーム２０の角度を保持することができる。すなわち、第１アーム１０が取り付けられる被取付面に対して、第２アーム２０に保持された照明器具２００の角度を調整でき、その角度を保持することができる。
【００２３】
第２アーム２０は、照明器具保持部２１、第２腕部２２及び第２腕部２３に加え、板状部材で形成された枠組み保持部２５を備えている。枠組み保持部２５は、枠組み３０を保持する部分である。枠組み保持部２５は、第２腕部２２及び第２腕部２３のそれぞれに設けられている。また、枠組み保持部２５は、第２腕部２２及び第２腕部２３の先端部に設けられている。
【００２４】
本実施の形態１に係る枠組み保持部２５は、平板状の支持部２６及び平板状の固定部２７を備えている。支持部２６は、枠組み３０を支持する部分である。本実施の形態１では、後述のように枠組み３０の枠部を支持している。なお、以下では、枠組み３０が備える複数の枠部のうちの第２枠部３２を支持部２６が支持する例を示している。固定部２７は、枠組み３０を固定する部分である。本実施の形態１では、後述のように枠組み３０の枠部を固定している。なお、以下では、枠組み３０が備える複数の枠部のうちの第２枠部３２を固定部２７が固定する例を示している。
【００２５】
具体的には、第２腕部２２に設けられている枠組み保持部２５は、次のように構成されている。第２腕部２２の枠組み保持部２５の支持部２６は、第２腕部２２における照明器具保持部２１側とは反対側の端部から、第２Ｕ字形状部２４の外側に向かって延びている。第２腕部２２の支持部２６の上面に枠組み３０の第２枠部３２が引っ掛けられることにより、枠組み３０はこの支持部２６に支持される。第２腕部２２の枠組み保持部２５の固定部２７は、支持部２６における第２腕部２２側とは反対側の端部から、照明器具保持部２１に向かって延びている。すなわち、第２腕部２２、支持部２６及び固定部２７は、Ｌ字形状に配置されている。
【００２６】
第２腕部２２の固定部２７には、雌ネジ２７ａが形成されている。本実施の形態１では、２つの雌ネジ２７ａが形成されている。固定部２７の雌ネジ２７ａにねじ込まれたボルト５４と支持部２６とで枠組み３０の第２枠部３２を挟み込むことにより、枠組み３０は固定される。すなわち、第２腕部２２の枠組み保持部２５に第２枠部３２が保持されることにより、第２腕部２２の枠組み保持部２５に枠組み３０が保持される。
【００２７】
第２腕部２３に設けられている枠組み保持部２５も、第２腕部２２に設けられている枠組み保持部２５と同様に構成されている。具体的には、第２腕部２３の枠組み保持部２５の支持部２６は、第２腕部２３における照明器具保持部２１側とは反対側の端部から、第２Ｕ字形状部２４の外側に向かって延びている。第２腕部２３の支持部２６の上面に枠組み３０の第２枠部３２が引っ掛けられることにより、枠組み３０はこの支持部２６に支持される。第２腕部２３の枠組み保持部２５の固定部２７は、支持部２６における第２腕部２３側とは反対側の端部から、照明器具保持部２１に向かって延びている。すなわち、第２腕部２３、支持部２６及び固定部２７は、Ｌ字形状に配置されている。
【００２８】
第２腕部２３の固定部２７には、雌ネジ２７ａが形成されている。本実施の形態１では、２つの雌ネジ２７ａが形成されている。固定部２７の雌ネジ２７ａにねじ込まれたボルト５４と支持部２６とで枠組み３０の第２枠部３２を挟み込むことにより、枠組み３０は固定される。すなわち、第２腕部２３の枠組み保持部２５に第２枠部３２が保持されることにより、第２腕部２３の枠組み保持部２５に枠組み３０が保持される。
【００２９】
本実施の形態１に係る第２アーム２０は、上述のように構成されているので、板状部材を折り曲げることにより、照明器具保持部２１、第２腕部２２、第２腕部２３及び枠組み保持部２５を形成することができる。すなわち、板状部材を折り曲げることにより、第２アーム２０を一体形成品とすることができる。なお、枠組み保持部２５の構成は、あくまでも一例である。例えば、枠組み３０が特許文献１に記載の枠組みと同様に突出する雄ネジを有する場合、枠組み保持部２５を平板状に形成してもよい。枠組み保持部２５に形成された貫通孔と、枠組み３０の雄ネジと、該雄ネジに取り付けられたナットとにより、枠組み保持部２５に枠組み３０を保持させることができる。このような枠組み保持部２５であっても、第２アーム２０を一体形成品とすることができる。
【００３０】
枠組み３０は、照明器具２００の周囲を囲い、照明器具２００を保護する部品である。枠組み３０は、線材を溶接して形成される。枠組み３０は、例えば溶融亜鉛めっきされた線材で形成される。
【００３１】
具体的には、枠組み３０は、照明器具２００の周囲を囲う複数の枠部と、これらの枠部を連結し、枠組み３０の変形を抑制する複数の柱部とを備えている。より詳しくは、本実施の形態１に係る枠組み３０は、４つの枠部を備えている。これらの枠部は、上下方向に間隔を空けて配置されている。以下、これらの枠部を、上部から下部に向かって、第１枠部３１、第２枠部３２、第３枠部３３及び第４枠部３４と称する。第１枠部３１、第２枠部３２、第３枠部３３及び第４枠部３４の形状は、照明器具２００の周囲を囲うことができれば限定されないが、本実施の形態１では平面視長方形状となっている。なお、平面視における第１枠部３１、第２枠部３２、第３枠部３３及び第４枠部３４の長手方向は、図のＸ方向となっている。また、平面視における第１枠部３１、第２枠部３２、第３枠部３３及び第４枠部３４の短手方向は、図のＹ方向となっている。すなわち、図のＸ方向は、平面視における枠組み３０の長手方向となる。また、図のＹ方向は、平面視における枠組み３０の短手方向となる。
【００３２】
第２枠部３２は、照明器具２００の側方のうちの上部部分を囲い、当該位置を保護する。第３枠部３３は、照明器具２００の側方のうちの上下方向中央部分を囲い、当該位置を保護する。第４枠部３４は、照明器具２００の側方のうちの下部部分を囲い、当該位置を保護する。第２枠部３２、第３枠部３３及び第４枠部３４は、平面視において長手方向の長さ及び短手方向の長さが同じになっている。
【００３３】
第１枠部３１は、照明器具２００の上部を保護する。また、第１枠部３１は、枠組み３０の上部に直径約２０ｃｍ以上のボールが載ることを抑制する形状となっている。直径約２０ｃｍ以上のボールとは、例えば、バレーボール及びバスケットボール等である。具体的には、第１枠部３１の形状は、平面視で第１アーム１０と第２枠部３２との間に一定幅以上の隙間が形成されない形状となっている。本実施の形態１では、第１枠部３１の形状は、平面視で第１アーム１０と第２枠部３２との間に幅１５ｃｍ以上の隙間が形成されない形状となっている。このような形状を実現するため、本実施の形態１では、第１枠部３１の短辺は、平面視において、第１アーム１０から１３ｃｍ離れた位置に配置されている。また、第１枠部３１の長辺は、平面視において、次のような位置に配置されている。
【００３４】
上述のように、第２枠部３２は、第２アーム２０の枠組み保持部２５に保持される。この際、第２枠部３２の長辺が、第２アーム２０の枠組み保持部２５に保持される。このため、本実施の形態１に係る第２アーム２０においては、第２腕部２２の外周面と第２腕部２３の外周面との間の距離が、第２枠部３２の長辺間の距離よりも短くなっている。また、第２腕部２２に設けられた枠組み保持部２５の固定部２７と第２腕部２３に設けられた枠組み保持部２５の固定部２７との間の距離が、第２枠部３２の長辺間の距離よりも長くなっている。
【００３５】
ここで、第１枠部３１は、第２枠部３２よりも天井等の被取付面に近い位置に配置されるので、第２アーム２０との干渉を防止する必要がある。このため、第１枠部３１の長辺間の距離が第２腕部２２の外周面と第２腕部２３の外周面との間の距離よりも長くなるように、第１枠部３１の長辺は配置される。また、第１枠部３１の長辺間の距離が第２腕部２２に設けられた枠組み保持部２５の固定部２７と第２腕部２３に設けられた枠組み保持部２５の固定部２７との間の距離よりも短くなるように、第１枠部３１の長辺は配置される。なお、本実施の形態１では、第１枠部３１の長辺は、平面視において、第２枠部３２の長辺と同位置に配置されている。
【００３６】
また、本実施の形態１に係る枠組み３０は、枠組み３０の変形を抑制する複数の柱部として、複数の第１柱部３５と、複数の第２柱部３６とを備えている。複数の第１柱部３５及び複数の第２柱部３６は、第２アーム２０の第２腕部２２及び第２腕部２３の延びる方向に延びている。
【００３７】
複数の第１柱部３５は、第１枠部３１の長辺、第２枠部３２の長辺、第３枠部３３の長辺、及び第４枠部３４の長辺に接続され、これらの枠部の長辺を連結する。これにより、第１枠部３１、第２枠部３２、第３枠部３３及び第４枠部３４が長辺の延びる方向に移動することを抑制することができる。
【００３８】
第１柱部３５の本数は枠組み３０に求められる強度によって適宜決定すればよいが、本実施の形態１では、枠組み３０は８本の第１柱部３５を備えている。８本の第１柱部３５のうちの４本は、平面視において、第１枠部３１の角部周辺に配置されている。８本の第１柱部３５のうちの残りの４本は、２本ずつ、平面視において第１枠部３１の各長辺の略中央位置に配置されている。以下、平面視において第１枠部３１の各長辺の略中央位置に配置されている第１柱部３５を他の第１柱部３５と区別する場合、平面視において第１枠部３１の各長辺の略中央位置に配置されている第１柱部３５を第１柱部３５ａと称することとする。すなわち、平面視において、第１枠部３１の各長辺の略中央位置には、一対の第１柱部３５ａが配置されている。換言すると、一対の第１柱部３５ａは、平面視において、第２枠部３２、第３枠部３３及び第４枠部３４の各長辺の略中央位置に配置されている。
【００３９】
上述のように、第２枠部３２の長辺は、第２アーム２０の枠組み保持部２５に保持される。この際、第２アーム２０の枠組み保持部２５は、一対の第１柱部３５ａの間に挿入され、第２枠部３２の長辺を保持する。このように構成することにより、第２枠部３２における枠組み保持部２５によって保持される箇所の剛性を高くすることができ、枠組み３０の振動を抑制することができる。また、一対の第１柱部３５ａは、枠組み保持部２５の挿入位置を示す位置決めの目印ともなる。このため、ガード１００の組立が容易となる。
【００４０】
複数の第２柱部３６は、第２枠部３２の短辺、第３枠部３３の短辺、及び第４枠部３４の短辺に接続され、これらの枠部の短辺を連結する。これにより、第２枠部３２、第３枠部３３及び第４枠部３４が短辺の延びる方向に移動することを抑制することができる。
【００４１】
複数の第２柱部３６の本数は枠組み３０に求められる強度によって適宜決定すればよいが、本実施の形態１では、枠組み３０は６本の複数の第２柱部３６を備えている。６本の第２柱部３６のうちの４本は、平面視において、第２枠部３２の角部周辺に配置されている。６本の第２柱部３６のうちの残りの２本は、１本ずつ、平面視において第２枠部３２の各短辺の略中央位置に配置されている。換言すると、平面視において、第２枠部３２、第３枠部３３及び第４枠部３４の各短辺の略中央位置に、１本の第２柱部３６が配置されている。
【００４２】
なお、第１柱部３５及び第２柱部３６は、枠組み３０を構成する枠部の内周部に接続されていてもよいし、枠組み３０を構成する枠部の外周部に接続されていてもよい。ただし、枠組み３０を構成する枠部の各辺の略中央位置に配置されている第１柱部３５及び第２柱部３６は、枠組み３０を構成する枠部の外周部に接続されていることが好ましい。照明器具２００には、人感センサ等の部品が取り付けられる場合がある。このような部品は、平面視において、照明器具２００の外周部に突出する。このため、枠組み３０を構成する枠部の各辺の略中央位置に配置されている第１柱部３５及び第２柱部３６を、枠組み３０を構成する枠部の外周部に接続することにより、照明器具２００に取り付けられる上述の部品が第１柱部３５及び第２柱部３６に干渉することを抑制できる。
【００４３】
続いて、ガード１００を用いて被取付面に照明器具２００を取り付ける手順について説明する。
まず、第２アーム２０を傾け、枠組み３０の一方の長辺側に形成されている第２枠部３２、第３枠部３３及び一対の第１柱部３５ａで囲まれた空間に、第２腕部２２の枠組み保持部２５を挿入する。そして、枠組み３０の他方の長辺側に形成されている第２枠部３２、第３枠部３３及び一対の第１柱部３５ａで囲まれた空間に、第２腕部２３の枠組み保持部２５を挿入する。
【００４４】
その後、第２アーム２０を持ち上げ、第２腕部２２及び第２腕部２３のそれぞれの枠組み保持部２５の支持部２６で、第２枠部３２を支持する。そして、第２腕部２２及び第２腕部２３のそれぞれの枠組み保持部２５における固定部２７の雌ネジ２７ａにボルト５４をねじ込み、ボルト５４と支持部２６とで第２枠部３２を挟み込んで、第２アーム２０に枠組み３０を固定する。
【００４５】
その後、ボルト５１を用い、第２アーム２０の照明器具保持部２１に、照明器具２００を固定する。すなわち、第２アーム２０の照明器具保持部２１に、照明器具２００を保持させる。なお、第２アーム２０に照明器具２００を固定した後に、第２アーム２０に枠組み３０を固定してもよい。ただし、このような順で第２アーム２０に照明器具２００及び枠組み３０を固定する場合、第２アーム２０の枠組み保持部２５を枠組み３０の第２枠部３２の下方に挿入する際、すでに第２アーム２０に固定されている照明器具２００が枠組み３０に接触することがある。このため、照明器具２００及び枠組み３０の破損を考慮すると、第２アーム２０に枠組み３０を固定した後に、第２アーム２０に照明器具２００を固定するのが好ましい。
【００４６】
第２アーム２０に照明器具２００及び枠組み３０を固定した後、第２アーム２０の第２Ｕ字形状部２４を第１アーム１０の第１Ｕ字形状部１４に挿入する。そして、第１アーム１０の第１腕部１２の貫通孔１２ａ及び第２アーム２０の第２腕部２２の貫通孔２２ａに、ボルト５２を挿入する。また、第１アーム１０の第１腕部１２の貫通孔１２ｂ及び第２アーム２０の第２腕部２２の貫通孔２２ｂに、ボルト５２を挿入する。また、第１アーム１０の第１腕部１３の貫通孔１３ａ及び第２アーム２０の第２腕部２３の貫通孔２３ａにボルト５２を挿入する。そして、これらのボルト５２にナット５３を取り付ける。
【００４７】
その後、第１アーム１０に対する第２アーム２０の角度を調整した後に、ボルト５２及びナット５３で第１腕部１２及び第２腕部２２を共締めし、ボルト５２及びナット５３で第１腕部１３及び第２腕部２３を共締めする。すなわち、ボルト５２及びナット５３で、第１アーム１０に第２アーム２０を固定する。なお、上述した取り付け手順は一例である。例えば、第１アーム１０に第２アーム２０を固定した後、第２アーム２０に照明器具２００及び枠組み３０を固定してもよい。
【００４８】
最後に、第１アーム１０の取付部１１を天井等の被取付面に取り付ける。これにより、照明器具２００は、ガード１００を用いて被取付面に取り付けられる。
【００４９】
以上、本実施の形態１に係るガード１００は、照明器具２００のガードである。ガード１００は、照明器具２００の周囲を囲う枠組み３０と、第１アーム１０と、第２アーム２０とを備えている。第１アーム１０は、被取付面に取り付けられる取付部１１と、取付部１１から延びて取付部１１と共に第１Ｕ字形状部１４を構成する一対の第１腕部１２，１３とを備えている。第２アーム２０は、照明器具２００を保持する照明器具保持部２１と、取付部１１から離れる方向に照明器具保持部２１から延びて照明器具保持部２１と共に第２Ｕ字形状部２４を構成する一対の第２腕部２２，２３と、第２腕部２２，２３のそれぞれに設けられ、枠組み３０を保持する枠組み保持部２５とを備えている。また、第２Ｕ字形状部２４が第１Ｕ字形状部１４に挿入されて、一対の第１腕部１２，１３に一対の第２腕部２２，２３が固定される。
【００５０】
本実施の形態１に係るガード１００は、このように構成されているので、第２アーム２０を第１アーム１０に固定する際、第１アーム１０に対する第２アーム２０の角度を調整することにより、照明器具２００の角度を調整することができる。また、本実施の形態１に係るガード１００は、第２アーム２０を一体成形品として形成することができる。したがって、本実施の形態１に係るガード１００は、照明器具２００の角度を調整することができ、従来よりも部品数を削減することもできる。
【００５１】
なお、本実施の形態１に係るガード１００の被取付面は、水平方向に延びる天井に限定されない。本実施の形態１に係るガード１００の被取付面は、水平方向に対して傾いている天井、及び側壁等であってもよい。また、上述の説明からもわかるように、本実施の形態１に係るガード１００は、照明器具２００の照射方向を、垂直方向下向き以外に調整することができる。
【００５２】
また、本実施の形態１では、枠組み保持部２５は第２腕部２２，２３から第２Ｕ字形状部２４の外側に突出していたが、枠組み保持部２５が第２腕部２２，２３から第２Ｕ字形状部２４の内側に突出する構成としてもよい。この場合、第２腕部２２の内周面と第２腕部２３の内周面との間の距離を、第２枠部３２の長辺間の距離よりも長くすればよい。また、第２腕部２２に設けられた枠組み保持部２５の固定部２７の第２腕部２２側の面と第２腕部２３に設けられた枠組み保持部２５の固定部２７の第２腕部２３側の面との間の距離を、第２枠部３２の長辺間の距離よりも短くすればよい。このようにすることで、第２アーム２０に枠組み３０を固定することができる。
【００５３】
実施の形態２．
本実施の形態２のようにガード１００を構成することにより、複数種類の照明器具２００に対応して複数種類のガード１００を製造等する際、製造等する部品の種類の増加を抑制することができる。なお、本実施の形態２では、特に記述しない項目については実施の形態１と同様とし、実施の形態１と同一の機能及び構成については同一の符号を用いて述べることとする。
【００５４】
図８は、本発明の実施の形態２に係るガードと、該ガードに保持される照明器具とを示す分解斜視図である。図９は、本発明の実施の形態２に係るガードと、該ガードに保持された照明器具とを示す斜視図である。図１０は、本発明の実施の形態２に係るガードの斜視図である。図１１は、本発明の実施の形態２に係るガードの平面図である。図１２は、本発明の実施の形態２に係るガードの側面図である。
【００５５】
本実施の形態２で用いられている照明器具２００は、実施の形態１で用いられていた照明器具２００よりも小さい。具体的には、実施の形態１で用いられていた照明器具２００は、光束３万〜５万ｌｍの光を発する照明器具であった。一方、本実施の形態２で用いられている照明器具２００は、光束１万〜２．５万ｌｍの光を発する照明器具となっている。
【００５６】
このため、本実施の形態２に係る枠組み３０も、実施の形態１で示した枠組み３０よりも小さくなっている。したがって、本実施の形態２に係る枠組み３０を大きさ以外実施の形態１と同じ構成にした場合、本実施の形態２に係る枠組み３０の剛性は、実施の形態１で示した枠組み３０よりも高くなる。このため、本実施の形態２に係る枠組み３０は、実施の形態１で示した枠組み３０と比べ、第２柱部３６の本数を２本に減らしている。
【００５７】
一方、本実施の形態２に係る第１アーム１０及び第２アーム２０は、実施の形態１と同じ形状となっている。すなわち、本実施の形態２に係るガード１００と実施の形態１で示したガード１００とは、共通の第１アーム１０及び第２アーム２０を用いている。
【００５８】
このように、複数種類の照明器具２００に対応して複数種類のガード１００を製造等する際、第１アーム１０及び第２アーム２０を共通とすることにより、製造等する部品の種類の増加を抑制することができる。
【符号の説明】
【００５９】
１０  第１アーム、１１  取付部、１１ａ  貫通孔、１２  第１腕部、１２ａ  貫通孔、１２ｂ  貫通孔、１３  第１腕部、１３ａ  貫通孔、１４  第１Ｕ字形状部、１５  名板、１６  注意ラベル、２０  第２アーム、２１  照明器具保持部、２１ａ  貫通孔、２２  第２腕部、２２ａ  貫通孔、２２ｂ  貫通孔、２３  第２腕部、２３ａ  貫通孔、２４  第２Ｕ字形状部、２５  枠組み保持部、２６  支持部、２７  固定部、２７ａ  雌ネジ、３０  枠組み、３１  第１枠部、３２  第２枠部、３３  第３枠部、３４  第４枠部、３５  第１柱部、３５ａ  第１柱部、３６  第２柱部、５１  ボルト、５２  ボルト、５３  ナット、５４  ボルト、１００  ガード、２００  照明器具、２０１  アーム、２０１a  貫通孔。
【図１】
2020057573.tif 000003
【図２】
2020057573.tif 000004
【図３】
2020057573.tif 000005
【図４】
2020057573.tif 000006
【図５】
2020057573.tif 000007
【図６】
2020057573.tif 000008
【図７】
2020057573.tif 000009
【図８】
2020057573.tif 000010
【図９】
2020057573.tif 000011
【図１０】
2020057573.tif 000012
【図１１】
2020057573.tif 000013
【図１２】
2020057573.tif 000014